(57)【要約】【課題】収容物の脱落、引ったくり、および置き引きの防止に有効でありかつ使い勝手が良好な荷かごを提供する。【解決手段】荷かご１は、上面が開放されたかご本体２と、かご本体２にアーム状の支持具４，５を介して開閉動作が可能に取り付けられた蓋３とから成る。蓋３は、蓋３の開閉動作によってかご本体２の開放部２ｂを開閉するようになっている。支持具４にはロック機構６が設けられている。ロック機構６は、施錠時には蓋３の閉動作は許容するが、蓋３の開動作は規制し、解錠時には蓋の開閉動作を許容するものである。【選択図】　図１
2004114777.tif 000002
【特許請求の範囲】
【請求項１】
上面が開放されたかご本体と、かご本体に支持具を介して開閉動作が可能に取り付けられた蓋とから成る荷かごであって、前記支持具には、施錠時に、少なくとも蓋を閉じた状態に保持して蓋が開くのを規制するロック機構が設けられて成る荷かご。
【請求項２】
前記蓋は、かご本体の上面の開放部より小さい外形に形成されており、蓋を閉動作させたとき、蓋が開放部よりかご本体の内部へ入り込むようになっている請求項１に記載された荷かご。
【請求項３】
前記蓋は、左右一対の支持具によって２カ所が支持されており、少なくとも一方の支持具に前記ロック機構が設けられている請求項１または２に記載された荷かご。
【請求項４】
前記ロック機構は、施錠時には蓋の閉動作は許容するが、蓋の開動作は規制し、解錠時には蓋の開閉動作を許容するようになっている請求項１に記載された荷かご。
【請求項５】
前記支持具は、かご本体に取り付けられる固定部に蓋を支持する可動部が傾動可能に支持されて成り、前記固定部と可動部との間には、蓋を閉じる方向へのみ支持具を間欠的に傾動させることが可能なラチェット機構がロック機構の一部として設けられている請求項１に記載された荷かご。
【請求項６】
請求項１〜５のいずれかに記載された荷かごが装備されて成る二輪車。
【請求項７】
請求項１〜６のいずれかに記載された荷かごが装備された二輪車であって、車輪部分に設けられたロック機構と前記荷かごに設けられたロック機構とは、共通の鍵によって解錠および施錠の各操作が可能であるとともに、施錠時にのみロック機構から鍵を抜き取ることが可能に形成されて成る二輪車。
【発明の詳細な説明】
【０００１】
【産業上の利用分野】
この発明は、自転車などに装着される荷かごに関し、特に、この発明は、上面の開放部を蓋で塞ぐことが可能な蓋付きの荷かごと、その荷かごが装備された二輪車とに関する。
【０００２】
【従来の技術】
従来の子供用自転車や家庭用自転車は、ハンドルの前に荷かごを装備したものが一般的である。この種の荷かごは、上面が開放された箱型形状に形成されており、荷かごの内部に、携帯品や買い物により購入した物品など、種々の物を収納することが可能である。
【０００３】
荷かごに物を入れて路面状態が悪い道路などを走行すると、振動により荷かごの収容物が上面の開放部より飛び出たり、荷かごの内部で飛び跳ねたりすることがあり、安定走行に支障をきたしたり、収容物を損傷したりするおそれがある。
【０００４】
また、荷かごは上面が開放されているので、特に近年、自転車などを使った盗難事件に巻き込まれることがある。その代表例が「引ったくり」であり、自転車同士のすれ違い時に荷かごの収容物が強奪されるおそれがある。また、荷かごに物を入れたままで自転車から離れると、「置き引き」の被害に遭うこともある。
【０００５】
【発明が解決しようとする課題】
上記した問題に対処するために、図１０に示すように、荷かご１００の上面の開放部にネット１０１を被せることが提案されている。この方法は、収容物の脱落防止や引ったくりの防止には有効であるが、置き引きには十分に対応できない。また、ネットの開閉に手数がかかり、使い勝手が悪いという問題もある。
【０００６】
一方、図１１に示すような施錠が可能な蓋付きの荷かごも提案されている。図示の荷かごは、かご本体１０２の上面の開放部に蓋１０３が兆番により開閉可能に取り付けられて成る。蓋１０３とかご本体１０２との間には互いに係合する一対の金具１０４ａ，１０４ｂが取り付けてあり、この金具１０４ａ，１０４ｂに南京錠１０５を引っ掛けて施錠する。
【０００７】
この蓋付きの荷かごは、収容物の脱落、引ったくり、および置き引きの防止に有効であるが、金具１０４ａ，１０４ｂの掛け外し操作や南京錠１０５の施錠および解錠操作に手数がかかり、使い勝手が悪いという問題がある。
【０００８】
この発明は、上記問題に着目してなされたもので、収容物の脱落、引ったくり、および置き引きの防止に有効でありかつ使い勝手が良好な荷かごと、その荷かごが装備された二輪車とを提供することを目的とする。
【０００９】
【課題を解決するための手段】
この発明による荷かごは、上面が開放されたかご本体と、かご本体に支持具を介して開閉動作が可能に取り付けられた蓋とから成るものであって、前記支持具には、施錠時に、少なくとも蓋を閉じた状態に保持して蓋が開くのを規制するロック機構が設けられて成る。
【００１０】
この発明による荷かごに携帯品などの物を入れた後に蓋を閉じ、ロック機構により施錠して蓋を閉じた状態に保持すると、走行時の振動によって収容物が荷かごから飛び出すことがない。また、蓋が開かないので、引ったくりだけでなく置き引きの防止にも有効である。
【００１１】
この発明の荷かごは、蓋付きでありかつロック機構が設けられているので、収容物の脱落、引ったくり、および置き引きを確実に防止できる。また、ロック機構は支持具に設けているので、施錠時および解錠時の各操作が迅速かつ容易に行える。
【００１２】
この発明の好ましい一実施態様においては、前記蓋は、かご本体の上面の開放部より小さい外形に形成されており、蓋を閉動作させたとき、蓋が開放部よりかご本体の内部へ入り込むようになっている。
この実施態様によれば、かご本体に入れた物が小さくても、蓋がかご本体の内部まで入り込むので、収容物が蓋によって押さえられ、かご本体の内部で飛び跳ねることがなく、収容物やかご本体を損傷するおそれがない。
【００１３】
さらに好ましい実施態様においては、左右一対の支持具によって蓋を２カ所で支持し、少なくとも一方の支持具に前記ロック機構を設けるようにしている。この実施態様によれば、蓋が安定して支持されるので、蓋の開閉操作が円滑となる。
【００１４】
この発明の好ましい一実施態様においては、前記ロック機構は、施錠時には蓋の閉動作は許容するが、蓋の開動作は規制し、解錠時には蓋の開閉動作を許容するようになっている。
この実施態様によれば、かご本体の内部に物を入れ、ロック機構を施錠状態に設定した後に蓋を押すなどして蓋を閉じると、蓋は任意の閉成位置で施錠状態となる。収容物を取り出すときは、ロック機構を解錠状態に設定した後に蓋を開く。
【００１５】
前記支持具は、種々の態様のものが考えられるが、好ましい実施例では、かご本体に取り付けられる固定部に蓋を支持する可動部が傾動可能に支持されて成る。前記固定部と可動部との間には、蓋を閉じる方向へのみ支持具を間欠的に傾動させることが可能なラチェット機構がロック機構の一部として設けられている。
【００１６】
この実施態様では、ロック機構を施錠状態に設定した後に蓋を押すなどして蓋を閉じると、ラチェット機構の働きで蓋が開く方向の動作が規制されるので、蓋は閉じられた位置で施錠状態となる。
【００１７】
この発明による荷かごは、主として二輪車に用いられるので、この発明を二輪車の観点から規定すると、その二輪車は、上記したいずれかの態様の荷かごが装備されて成るものである。
【００１８】
この発明による好ましい二輪車の実施態様においては、上記したいずれかの態様の荷かごが装備された二輪車であって、車輪部分に設けられたロック機構と前記荷かごに設けられたロック機構とは、共通の鍵によって解錠および施錠の各操作が可能であるとともに、施錠時にロック機構から鍵を抜き取ることが可能に形成されて成る。
【００１９】
この実施態様では、走行に先立ち、荷かごに物を入れて蓋を閉じ、ロック機構を施錠して鍵を抜き取った後、その鍵を車輪部分のロック機構の鍵孔に差し込んで解錠する。停止時は、車輪部分のロック機構を施錠して鍵を鍵孔より抜き取り、その鍵を荷かごのロック機構の鍵孔に差し込んで解錠した後、荷かごより物を取り出す。この実施例によれば、１本の鍵だけを管理すればよく、しかも、走行時には車輪部分のロック機構に鍵が差し込まれた状態にあるので、走行時、鍵を保持する必要がなく、鍵の紛失を防止できる。
【００２０】
【実施例】
図１は、この発明の一実施例である荷かご１が自転車１０のハンドル１０ａに装着された状態を示す。なお、この発明の荷かごは、家庭用自転車、子供用自転車、原動機付き自転車など、各種の二輪車に適用できる。また、荷かごは、二輪車のハンドル部分に限らず、それ以外の部分に装着してもよい。
【００２１】
図示例の荷かご１は、かご本体２がアルミなどの金属材料をもって上面が開放された箱型形状に形成されている。かご本体２の後壁部２ａには、左右一対のアーム状の支持具４，５を介して蓋３が開閉動作が可能に取り付けられている。この実施例では、蓋３の開閉動作を可能となすために各支持具４，５が傾動可能に形成されている。かご本体２および蓋３は全面がネット状であり、かご本体２の収容物１１がネットの隙間を通して外部より見えるようになっている。なお、かご本体２や蓋３は必ずしもネット状である必要はなく、外部より見えない構造のものであってもよい。
【００２２】
蓋３はその外形がかご本体２の上面の開放部２ｂより小さい矩形状に形成されている。この実施例の支持具４，５は、蓋３がかご本体２の開放部２ｂを完全に開放した起立状態（例えば図１に示す状態）から蓋３がかご本体２の開放部２ｂを塞ぐ水平状態（図２に示す状態）を経て、蓋３が開放部２ｂよりかご本体２の内部に入り込む折込み状態（例えば図３に示す状態）に至るまで、傾動が可能となっている。なお、傾動可能な角度範囲は図示例に限られないことはいうまでもない。
【００２３】
左右の支持具４，５は、かご本体２の後壁部２ａに固定部４０，５０がそれぞれ取り付けられるとともに、固定部４０，５０の上端部に、蓋３を支持する可動部４１，５１がそれぞれ傾動可能に支持されて成る。一方の支持具４は、図４および図５に示すように、固定部４０と可動部４１との間に、可動部４１を複数の傾き角度に保持することが可能なロック機構６が設けられている。なお、他方の支持具５は、固定部５０の上端部に可動部５１が傾動可能に支持されただけの構造である。
【００２４】
この実施例では、施錠時、かご本体２の収容物１１に蓋３が突き当たるまで支持具４の可動部４１を傾動させたとき、その突き当たったときの傾き角度に可動部４１を保持して蓋３が開くのを規制するように構成しているが、この発明は、この実施例のような構成態様に限らず、種々の態様に構成できる。
例えば、支持具４をひとつの傾き角度だけ保持できるような構成態様のもの、すなわち、蓋３がかご本体２の開放部２ｂを塞ぐ水平状態（図２に示す状態）となる傾き角度だけ保持できるようにした構成態様のものであってもよい。また、支持具４をふたつの傾き角度だけ保持できる構成態様のもの、すなわち、蓋３がかご本体２の開放部２ｂを塞ぐ水平状態（図２に示す状態）となる傾き角度と蓋３が開放部２ｂよりかご本体２の内部に入り込む折込み状態（図３に示す状態）となる傾き角度とに保持できるようにした構成態様のものであってもよい。
【００２５】
前記支持具４の固定部４０は、本体フレーム４２にカバー体４３を被せて両者を一体化したものである。前記本体フレーム４２は、かご本体２の後壁部２ａに図示しない金具により取付け固定される固定部４２ａと、中空内部にシリンダ錠８が装填される筒状部４２ｂと、筒状部４２ｂの中空内部と連通する中空内部に爪７０を有するロック部材７１が上下動可能に組み込まれる箱状部４２ｃとを一体に備えたものである。前記箱状部４２ｃには、上方へ突出する支持部４２ｄがさらに一体形成されており、この支持部４２ｄに中空の支え軸４２ｅが内向きに突設されている。
【００２６】
前記カバー体４３は、本体フレーム４２の箱状部４２ｃの開放部分を塞ぐ本体部４３ａと、本体フレーム４２の支持部４２ｅと対向する位置まで突出して支え軸４２ｅの先端を支持する支持部４３ｂとを一体に備えたものである。前記支え軸４２ｅの内孔には本体フレーム４２の支持部４２ｅの側より頭部付きの止め軸４４ａが挿入される。カバー体４３の支持部４３ｂの側より突出した止め軸４４ａの先端には抜け止め具４４ｂが施される。
【００２７】
前記支持具４の可動部４１は、先端部で蓋３の一辺を支持するための腕部４５を備え、腕部４５の基端に、外周に鋸歯状の複数の爪７４が所定の角度範囲にわたって形成された爪車７３が一体形成されたものである。爪車７３は前記固定部４０の支え軸４２ｅ上に回動自由に支持され、これにより固定部４０に可動部４１が傾動可能に支持されるようになっている。
【００２８】
前記爪車７３と、この爪車７３に対して係脱する前記ロック部材７１の爪７０とでラチェット機構７が構成され、このラチェット機構７と前記シリンダ錠８とで前記ロック機構６が構成される。
前記ラチェット機構７は、爪車７３の溝に爪７０が噛んでいるとき、蓋３が閉じる方向への可動部４１の傾動は許容するが、蓋３が開く方向への可動部４１の傾動は規制するものである。また、爪車７３の溝に爪７０が噛んでいないときは、蓋３が閉じる方向にも蓋３が開く方向にも可動部４１の傾動は許容される。
【００２９】
前記爪７０は、図６〜図９に示すように、ロック部材７１の上下動に応じて爪車７３に係脱する。ロック部材７１の下端にはロック部材７１を上方へ付勢するばね７５が設けられる。また、ロック部材７１にはシリンダ錠８のカム軸８０が係合するカム穴７６が形成されている。
なお、図６および図７は、ロック部材７１がばね７５のばね力により押し上げられて爪７０が爪車７３に噛んでいる「施錠状態」を示す。図９は、ロック部材７１がばね７５のばね力に抗して押し下げられて爪７０が爪車７３から離れた「解錠状態」を示す。なお、図８は、「施錠状態」から「解錠状態」へ移行する途中の状態である。
【００３０】
前記シリンダ錠８は、外筒８１内に内筒８２が回動自由にはまっており、鍵孔８４への鍵８５の挿脱により複数個のディスク８６が作動して外筒８１の内周面に設けられた係合溝（図示せず。）に係脱するものである。ディスク８６が突き出て係合溝と係合したとき、内筒８２の回動が規制される状態となる。ディスク８６が引っ込んで係合溝との係合が外れたとき、内筒８２の回動が許容される状態となる。鍵８５は内筒８２の回動が規制される状態のときに鍵孔８４より抜き取れるが、内筒８２の回動が許容される状態のときは鍵孔８４より抜き取れないようになっている。
【００３１】
前記カム軸８０は、内筒８２の後端面の中心からずれた位置に設けてあり、図６の「施錠状態」のときは、カム軸８０はロック部材７１の上下動を妨げないようにカム穴７６に対して摺動自由である。このため、ロック部材７１はばね７５により上方へ押し上げられ、爪７０が爪車７３と噛み合う。鍵８５を回してカム軸８０を回動させると、図８に示すように、ロック部材７１が押し下げられ、爪７０が爪車７３より離れる。図８の状態では、鍵８５から手をはなすと、ロック部材７１はばね７５により押し上げられる。鍵８５を最後まで回すと、図９に示すように、カム軸８０がカム穴７６のカム面７６ａに引っ掛かり、鍵８５から手をはなしても、ロック部材７１はその位置に止まり、「解錠状態」に保持される。
【００３２】
上記した構成の荷かご１を装備した二輪車１０を走行するに際して、かご本体２に収容物１１を入れ、シリンダ錠８の鍵孔８４へ挿入されている鍵８５を施錠方向へ回すと、ロック部材７１がばね７５により上方へ押し上げられて爪７０が爪車７３に噛み込む。つぎに、蓋３を押すなどして蓋３を閉動作し、蓋３がかご本体２の収容物１１に突き当たるまで支持具４，５の可動部４１，５１を傾動させる。
【００３３】
この場合に、収容物１１が小さなものであれば、蓋３がかご本体２の内部まで入り込んで収容物１１に突き当たる。一方、収容物１１がかご本体２の開放部２ｂからはみ出る程に大きければ、蓋３はかご本体２の開放部２ｂに達する手前ではみ出た収容物１１に突き当たる。
【００３４】
蓋３を閉じるとき、支持具４，５の可動部４１，５１が傾動するに応じて爪車７３が回動し、爪７０は爪車７３の溝と順次係合しつつ蓋３が閉じられ、これと同時に各係合位置で施錠状態となる。蓋３が収容物１１に突き当たったとき、その開閉角度に蓋３が保持される。
【００３５】
以上のように、収容物１１は蓋３によりかご本体２の内部に押し込められるので、走行時の振動により収容物１１が荷かご１の内部で飛び跳ねたり、荷かご１から飛び出したりすることはない。また、蓋３を開けることができないので、収容物１１が強奪されるおそれがなく、引ったくりを防止できる。さらに、蓋３は施錠されているので、自転車から離れても、置き引きの被害に遭うこともない。
【００３６】
荷かご１より収容物１１を取り出すときは、鍵８５をシリンダ錠８の鍵孔８４へ挿入して解錠方向へ回すと、ロック部材７１が下方へ押し下げられて爪７０が爪車７３から離れる。この状態では、支持具４，５の可動部４１，５１は回動自由であるから、蓋３を開くことができる。
【００３７】
【発明の効果】
この発明によると、蓋付きの荷かごにロック機構が設けてあるので、収容物の脱落、引ったくり、および置き引きを確実に防止できる。また、ロック機構は支持具に設けてあるので、施錠時および解錠時の各操作が迅速かつ容易に行える。
【図面の簡単な説明】
【図１】この発明の一実施例である荷かごが自転車に装着された状態を示す斜視図である。
【図２】蓋が閉じられた状態の荷かごを示す側面図である。
【図３】蓋が深く閉じられた状態の荷かごを示す側面図である。
【図４】支持具の外観を示す斜視図である。
【図５】支持具の構成を示す分解斜視図である。
【図６】ロック機構の構成および動作を示す側面図である。
【図７】ロック機構の構成を示す断面図である。
【図８】ロック機構の構成および動作を示す側面図である。
【図９】ロック機構の構成および動作を示す側面図である。
【図１０】従来の荷かごを示す斜視図である。
【図１１】従来の荷かごを示す斜視図である。
【符号の説明】
１　　荷かご
２　　かご本体
２ｂ　開放部
３　　蓋
４，５　支持具
６　　ロック機構
７　　ラチェット機構
８　　シリンダ錠
４０　固定部
４１　可動部
【図１】
2004114777.tif 000003
【図２】
2004114777.tif 000004
【図３】
2004114777.tif 000005
【図４】
2004114777.tif 000006
【図５】
2004114777.tif 000007
【図６】
2004114777.tif 000008
【図７】
2004114777.tif 000009
【図８】
2004114777.tif 000010
【図９】
2004114777.tif 000011
【図１０】
2004114777.tif 000012
【図１１】
2004114777.tif 000013